(57)【要約】      （修正有）【課題】出力設備とゲーム機に連結され、使用時に、複雑な配線や接続による問題が生じず、組立て使用、及び取り外し収容が便利なゲーム機の転換構造を提供する。【解決手段】ゲーム機の転換構造は、少なくとも、転換制御ユニット１０、第一連接界面１１、第二連接界面１２、電源供給ユニット１３を有する転換機構１と、第一連結ユニット２１により第一連接界面と対応疎通する出力設備２と、第二連結ユニット３１により第二連接界面と対応疎通するゲーム機３とからなる。【選択図】図２
0003138312.tif 000002
【実用新案登録請求の範囲】
【請求項１】
ゲーム機の転換構造であって、
少なくとも、転換制御ユニット、前記転換制御ユニットと連接される第一連接界面、前記転換制御ユニットと連接される第二連接界面、及び、前記転換制御ユニットと連接される電源供給ユニットを有する転換機構と、
前記第一連結ユニットにより第一連接界面と対応疎通する出力設備と、
前記第二連結ユニットにより第二連接界面と対応疎通するゲーム機と、
からなることを特徴とするゲーム機の転換構造。
【請求項２】
前記第一連接界面は、前記転換制御ユニットと連接される導線、及び、前記導線の一端に連接される連接器からなることを特徴とする請求項１に記載のゲーム機の転換構造。
【請求項３】
前記第一連接界面は、無線伝送器であることを特徴とする請求項１に記載のゲーム機の転換構造。
【請求項４】
前記第二連接界面は、少なくとも、前記転換制御ユニットと連接される導線、及び、前記導線の一端に連接されるコネクタと、からなることを特徴とする請求項１に記載のゲーム機の転換構造。
【請求項５】
前記第二連接界面は、無線伝送器であることを特徴とする請求項１に記載のゲーム機の転換構造。
【請求項６】
前記出力設備は投影機であることを特徴とする請求項１に記載のゲーム機の転換構造。
【請求項７】
前記出力設備はディスプレイであることを特徴とする請求項１に記載のゲーム機の転換構造。
【請求項８】
前記第一連結ユニットは連接座であることを特徴とする請求項１に記載のゲーム機の転換構造。
【請求項９】
前記第一連結ユニットは無線受信器であることを特徴とする請求項１に記載のゲーム機の転換構造。
【請求項１０】
前記第二連結ユニットは連接座であることを特徴とする請求項１に記載のゲーム機の転換構造。
【請求項１１】
前記第二連結ユニットは無線受信器であることを特徴とする請求項１に記載のゲーム機の転換構造。
【考案の詳細な説明】
【技術分野】
【０００１】
本考案は、ゲーム機の転換構造に関するものであって、特に、ゲーム機の使用時に、複雑な配線、及び、接続が発生せず、組み立て装着使用、及び、取り外し収容に便利な効果を有するゲーム機の転換構造に関するものである。
【背景技術】
【０００２】
公知のゲーム機は使用時に、通常、ビデオ信号線、第一、及び、第二オーディオ信号線を使用するか、或いは、更に、その他の信号線により、ディスプレイと連結し、ゲーム機のビデオ、及び、オーディオ信号をディスプレイに出力して表示する。
【０００３】
上述のゲーム機は、使用者がディスプレイに表示された画面に従ってゲームに相関する操作を実行することができるが、ゲーム機とディスプレイを連結する時、ビデオ信号線、第一、第二オーディオ信号線を使用するか、或いは、更に他の信号線により連結するので、ゲーム機とディスプレイの連結後、二者間は多くの相互連接する導線があり、使用者がこれらの導線を配線、或いは、隠蔵する時、ゲーム機（或いは、導線）を不注意に動かしてしまって、導線とゲーム機（或いは、ディスプレイ）が脱離し、ゲームが中断したり、或いは、その他の電気特性に影響を与えて、導線の接触不良の状況が生じる。また、導線の収容時にきちんと整頓されないと、各導線が絡まり、次に使用する時に困る。
【考案の開示】
【考案が解決しようとする課題】
【０００４】
本考案は、転換構造により、出力設備、及び、ゲーム機を連結し、使用時に複雑な配線と接続を改善し、組立て使用、及び、取り外し収容が容易なゲーム機の転換構造を提供することを目的とする。
【課題を解決するための手段】
【０００５】
ゲーム機の転換構造は、少なくとも、転換制御ユニット、第一連接界面、第二連接界面、電源供給ユニットを有する転換機構と、第一連結ユニットにより第一連接界面と対応疎通する出力設備と、第二連結ユニットにより第二連接界面と対応疎通するゲーム機と、からなる。
【考案の効果】
【０００６】
本考案のゲーム機の転換構造は、転換機構が出力設備とゲーム機を連結し、使用時に、複雑な配線と接続による問題の発生を回避し、組立て使用と取り外し収容が容易である。
【考案を実施するための最良の形態】
【０００７】
図１、図２で示されるように、本考案は、転換機構１、出力設備２、及び、ゲーム機３から構成される。転換機構１は、出力設備２とゲーム機３に連結され、使用時に、複雑な配線や接続が生じるのを防止し、組立て使用と取り外し収容が容易であるという特徴を有する。
【０００８】
転換機構１は、少なくとも、転換制御ユニット１０、転換制御ユニット１０と連接する第一連接界面１１、転換制御ユニット１０と連接する第二連接界面１２、及び、転換制御ユニット１０と連接する電源供給ユニット１３、からなり、第一、第二連接界面１１、１２は、少なくとも、転換制御ユニット１０と連接する導線１１１、１２１、及び、導線１１１、１２１の一端に連接される連接器１１２、１２２からなる。
【０００９】
出力設備２は、上述の連接界面１１と対応疎通する第一連結ユニット２１を有し、出力設備２は投影機かディスプレイで、且つ、第一連結ユニット２１は第一連接界面１１に設けられる連接器１１２と対接される連接座である。
【００１０】
ゲーム機３は第二連接界面１２と対応疎通する第二連結ユニット３１を有し、且つ、第二連結ユニット３１は、第二連接界面１２に設けられる連接器１２２と対接される連接座である。上述の構造により新規のゲーム機の転換構造が構成される。
【００１１】
図２、図３で示されるように、本考案の運用時、転換機構１の電源供給ユニット１３、出力設備２、及び、ゲーム機３は、それぞれ、必要な外部電力４と連接されて、運用時に必要な電力を得る。転換機構１の第一連接界面１１は、連接器１１２により出力設備２上の連接座の第一連結ユニット２１と対応挿接され、転換機構１の第二連接界面１２は、連接器１２２によりゲーム機３上の連接座の第二連結ユニット３１と対応挿接される。
【００１２】
使用時、ゲーム機３のビデオ、及び、オーディオ信号は、第二連接界面１２から、第二連結ユニット３１により転換機構１の転換制御ユニット１０上に伝送され、転換制御ユニット１０により必要なビデオ、及び、オーディオ信号の転換を実行し、出力設備２が受信できるフォーマットに転換した後、第一連接界面１１から、第一連結ユニット２１により、必要なビデオ、及び、オーディオ信号を出力設備２から表示し、使用時に必要な転換効果を達成する。
【００１３】
図４で示されるように、本考案の転換機構１は上述の構造形態以外に、転換機構１ａの第一、及び、第二連接界面１１ａ、１２ａは無線伝送器でもよく、第一、及び、第二連結ユニット２１ａ、３１ａは、それぞれ、第一、及び、第二連接界面１１ａ、１２ａにより発信される信号を受信することができる無線受信器である。本考案は、無線伝送の方式により、転換機構１を出力設備２、及び、ゲーム機３に連結し、複雑な配線と接続による問題の発生を回避する。
【００１４】
本考案のゲーム機の転換構造は、転換構造が出力設備とゲーム機を連結し、使用時に、複雑な配線と接続による問題の発生を回避し、組立て使用と取り外し収容が容易である。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１６】
【図１】本考案の立体外観図である。
【図２】本考案の立体分解図である。
【図３】本考案の使用状態を示す図である。
【図４】本考案にもう一つの実施例の立体外観図である。
【符号の説明】
【００１７】
転換機構          １、１ａ
転換制御ユニット  １０
第一連接界面      １１、１１ａ
導線              １１１、１２１
連接器            １１２、１２２
第二連接界面      １２、１２ａ
電源供給ユニット  １３
出力設備          ２
第一連結ユニット  ２１、２１ａ
ゲーム機          ３
第二連結ユニット  ３１、３１ａ
外部電力          ４
【図１】
0003138312.tif 000003
【図２】
0003138312.tif 000004
【図３】
0003138312.tif 000005
【図４】
0003138312.tif 000006